(57)【要約】【課題】自動的に金銭を授受して物品販売もしくはサービスの提供を行う自動販売機を保護するための自動販売機において、鍵穴に対する悪戯行為や犯罪行為を防止することができる自動販売機の外殻構造を提供する。【解決手段】外殻構造１０を開放する開放姿勢と外殻構造１０を閉止する閉止姿勢との間で姿勢変更可能な扉部３と、扉部３を閉止姿勢の状態でロックするロック機構４と、ロック機構４の施錠、解錠を行う操作部５とを備え、操作部５は、扉部３もしくは外殻構造１０の側面に設けられた窪み部６の上面に下向きに設けられた鍵穴５ａを有し、この鍵穴５ａに適合する鍵を窪み部６を経て鍵穴５ａに上向きに挿入してロック機構４の施錠とロック機構４の解錠とを行う。【選択図】      図１
2004326352.tif 000002
【特許請求の範囲】
【請求項１】
自動的に金銭を授受して物品販売もしくはサービスの提供を行う自動販売機を保護するための自動販売機の外殻構造であって、
上記外殻構造を開放する開放姿勢と外殻構造を閉める閉止姿勢との間で姿勢変更可能な扉部と、
上記扉部を閉止姿勢の状態でロックするロック機構と、
上記ロック機構の施錠、解錠を行う操作部とを備え、
上記操作部は、上記扉部もしくは上記外殻構造の側面に設けられた窪み部の上面に下向きに設けられた鍵穴を有し、この鍵穴に適合する鍵を上記窪み部を経て上記鍵穴に上向きに挿入してロック機構の施錠とロック機構の解錠とを行うように構成したことを特徴とする自動販売機の外殻構造。
【請求項２】
上記窪み部は、本体の上記側面の下部に設けられていることを特徴とする請求項１に記載の自動販売機の外殻構造。
【請求項３】
上記窪み部は、窪み部の開口上方に、上記鍵穴を外部から隠すシールドを備えていることを特徴とする請求項１または請求項２のいずれかに記載の自動販売機の外殻構造。
【請求項４】
上記窪み部は、外側に傾斜した底面を備えていることを特徴とする請求項１ないし請求項３のいずれかに記載の自動販売機の外殻構造。
【発明の詳細な説明】
【０００１】
【発明の属する技術分野】
本発明は、自動的に金銭を授受して物品販売もしくはサービスの提供を行う自動販売機を保護するために採用される自動販売機の外殻構造に関するものである。
【０００２】
【従来の技術】
物品販売もしくはサービスの提供を行う自動販売機を保護するために採用される外殻構造には、一般に外殻構造を開放したり、閉めたりする姿勢変更可能な扉部と、この扉部を閉止姿勢の状態でロックするロック機構とが備えられているが、従来、ロック機構の施錠、解錠を行う鍵穴は、扉部や外殻構造の側面に直接横向きに取り付けられており、この横向きに取り付けられた鍵穴に、鍵を横から挿入して回動させることにより、扉部のロック機構の施錠とロック機構の解錠とを行っていた。
【０００３】
【発明が解決しようとする課題】
しかしながら、上述の自動販売機の外殻構造では、鍵穴が、扉部や外殻構造の側面に直接横向きに取り付けられているので、外部からどこに鍵穴があるか容易に判別がつく結果、自動販売機において鍵穴の破壊や金庫の盗難など、悪戯行為や犯罪行為を誘発し易いという不具合があった。
【０００４】
本発明は上記不具合に鑑みてなされたものであり、鍵穴の位置を外部から見え難く、またアクセスし難くすることにより、鍵穴に対する悪戯行為や犯罪行為を防止することができる自動販売機の外殻構造を提供することを課題としている。
【０００５】
なお、本願に記載する自動販売機の外殻構造は、上述の自動販売機の外殻構造の従来技術に該当せず、出願人の知る限りでは本願出願に類する公知例が無いため、本出願の時点では開示すべき先行技術文献情報は保有していない。
【０００６】
【課題を解決するための手段】
上記課題を解決するための本発明は、自動的に金銭を授受して物品販売もしくはサービスの提供を行う自動販売機を保護するための自動販売機の外殻構造であって、上記外殻構造を開放する開放姿勢と外殻構造を閉める閉止姿勢との間で姿勢変更可能な扉部と、上記扉部を閉止姿勢の状態でロックするロック機構と、上記ロック機構の施錠、解錠を行う操作部とを備え、上記操作部は、上記扉部もしくは上記外殻構造の側面に設けられた窪み部の上面に下向きに設けられた鍵穴を有し、この鍵穴に適合する鍵を上記窪み部を経て上記鍵穴に上向きに挿入してロック機構の施錠とロック機構の解錠とを行うように構成したことを特徴とする自動販売機の外殻構造である。
【０００７】
本発明によれば、窪み部に設けられた鍵穴に、鍵を上向きに挿入してロック機構の施錠とロック機構の解錠とを行うので、鍵穴を側面に設けた場合と比較して鍵穴の位置が外部から見え難く、またアクセスし難くすることができる結果、鍵穴の破壊や金庫の盗難など、悪戯行為や犯罪行為を最小限にすることができる。
【０００８】
ここで、上記窪み部は、本体の上記側面の下部に設けられていることが好ましい。
【０００９】
この好ましい態様によれば、窪み部が、本体の側面の下部に設けられているので、鍵穴を外からより見え難く、またアクセスし難くすることができる。
【００１０】
また、上記窪み部は、窪み部の開口上方に、上記鍵穴を外部から隠すシールドを備えていることが好ましい。
【００１１】
この好ましい態様によれば、窪み部が、窪み部の開口上方に、上記鍵穴を外部から隠すシールドを備えているので、鍵穴をさらに見え難く、またアクセスし難くすることができる。
【００１２】
そして、上記窪み部は、外側に傾斜した底面を備えていることが好ましい。
【００１３】
この好ましい態様によれば、窪み部の底面が、外側に傾斜しているので、鍵を鍵穴から落としても窪み部の内部に留まらずに、手前に出てくる結果、鍵穴から鍵を取り出すことが容易になる。
【００１４】
【発明の実施の形態】
以下、添付図面を参照しながら本発明の好ましい実施の一形態について詳述する。図１は本発明の実施の形態に係る自動販売機の外殻構造１０の構成を示す斜視図であり、図２は本発明の実施の形態に係る自動販売機の外殻構造１０の操作部５を下方から見た斜視図である。また、図３は本発明の実施の形態に係る自動販売機の外殻構造１０の操作部５の構成を示す部分図であり、（ａ）は、操作部５の正面図を、（ｂ）は、操作部５を下からみた平面図を、（ｃ）は、操作部５の側面図をそれぞれ示している。
【００１５】
図１〜図３を参照して、図示の本発明の実施の形態に係る自動販売機の外殻構造１０は、自動販売機１の操作パネル２以外の外面１ａ（図４）を覆って保護するものである。この外殻構造１０は、鋼板と型鋼とを溶接で組み立てた筐体で構成され、外殻構造１０を開放する開放姿勢３ｂ（図４）と外殻構造１０を閉止する閉止姿勢３ａ（図１）との間で姿勢変更可能な扉部３と、各扉部３を閉止姿勢３ａの状態でロックするロック機構４と、ロック機構４の施錠、解錠を行う操作部５とを備えている。
【００１６】
上記自動販売機１は、本実施形態では、駐車場において、自動的に金銭を授受して駐車場ゲートを開閉するサービスの提供を行うものであり、鋼板と型鋼とを溶接で組み立てることにより、自動販売機１の外面が形成されている。
【００１７】
また、上記操作パネル２は、自動販売機１において利用者と情報を交換したり、駐車券の発券、回収および金銭の授受を行うためのものであり、表示ランプ等からなる情報表示部２ａと、詳細は図示しないが、駐車券の発給ボタン、駐車券の発給口、回収口、コイン投入口、コイン返却口等が配置されている前面部２ｂとを有している。
【００１８】
上記扉部３は、正面扉３ｃ、側面左扉３ｄおよび側面右扉３ｅを有しており、各扉は鋼板と型鋼とを溶接で組み立てられており、それぞれヒンジ部３ｆ、３ｇ、３ｈの軸の周りに回動可能に設けられることにより、外殻構造１０を開放する開放姿勢３ｂと外殻構造１０を閉止する閉止姿勢３ａとの間で姿勢変更をすることが可能に構成されている。
【００１９】
上記ロック機構４は、扉部３を閉止姿勢３ａの状態でロックするために、扉部３に設けられるものであり、本実施形態では、側面左扉３ｄと側面右扉３ｅとを閉めた状態でロックする第一のロック部４ａと、第一のロック部４ａのロックおよびロック解除に連動する第二のロック部４ｂとを有している。第一のロック部４ａには、自動販売機や金庫等に一般的に採用されているシリンダー錠の機構が採用されている。また、第二のロック部４ｂにおいては、側面左扉３ｄを開放することにより、正面扉３ｃのロックが解除されて開放姿勢が取れる一方、正面扉３ｃを閉めた状態で、側面左扉３ｄと側面右扉３ｅとをロックすることにより正面扉３ｃをロックすることができるようになっている。
【００２０】
上記操作部５は、ロック機構４の施錠、解錠を行うためのものであり、図３（ａ）、（ｂ）、（ｃ）に示すように鍵穴５ａと、ロック機構４のロックとロック解除を手動で行うためのハンドル５ｂとを有している。また、これら鍵穴５ａとハンドル５ｂとは、外部から見え難く、またアクセスし難くするために、外殻構造１０の本体の側面（本実施形態では、側面右扉３ｅの側面）に設けられた窪み部６の上面に下向きに設けられている。そして、この操作部５は、この鍵穴５ａに適合する図略の鍵を窪み部６を経て鍵穴５ａに上向きに挿入してロック機構４の施錠とロック機構４の解錠とを行うことができるようになっている。
【００２１】
上記窪み部６は、できるだけ低い位置に設けて鍵穴５ａを外から、より見え難くするために、本体の側面の下部に設けられている。また、この窪み部６は、横方向からでも鍵穴５ａが見えないように、窪み部６の開口上方には、鍵穴５ａを外部から隠すシールド６ａを備えている。さらに、鍵を鍵穴５ａから抜き取る際には、鍵を鍵穴５ａから落としさえすれば、鍵が窪み部６の内部に留まらずに、手前に出てくるように外側に傾斜した底面６ｂを備えている。
【００２２】
次に本発明の実施の形態に係る自動販売機の外殻構造１０の作用について説明する。図４は本発明の実施の形態に係る自動販売機の外殻構造１０の扉部３の開放状態３ｂを示す斜視図である。
【００２３】
図３と図４とを参照して、図示の本発明の実施の形態に係る自動販売機の外殻構造１０の解錠、施錠およびメンテナンスの要領は、以下の通りである。
【００２４】
まず、施錠された外殻構造１０の扉部３を解錠して開放するには、鍵を窪み部６から、窪み部６の上面に下向きに設けられた鍵穴５ａに上向きに挿入して鍵を回動させ、手動でハンドル５ｂを回動させることにより、第一のロック部４ａの解錠を行う。第一のロック部４ａを解錠した後は、側面左扉３ｄおよび側面右扉３ｅをそれぞれのヒンジ部３ｇ、３ｈの軸の周りに回動させて開放する。そして側面左扉３ｄを開放することにより、第二のロック部４ｂが解除されるので、正面扉３ｃをヒンジ部３ｆの軸の周りに回動させて開放する。
【００２５】
次に、外殻構造１０の扉部３を開放した後は、自動販売機１の金庫に貯蔵された現金を回収したり、新しい駐車券の補給などのメンテナンスを行なう。
【００２６】
そして、開放された外殻構造１０の扉部３を閉めて施錠するには、逆に、正面扉３ｃをヒンジ部３ｆの軸の周りに回動させて閉めた後、側面左扉３ｄおよび側面右扉３ｅをそれぞれのヒンジ部３ｇ、３ｈの軸の周りに回動させて閉める。そして、手動でハンドル５ｂを回動させ、鍵を回動させて第一のロック部４ａの施錠を行った後、鍵穴５ａから鍵を抜き取る。これにより、自動販売機１に貯蔵された現金などへの外部からのアクセスが不可能になる。
【００２７】
以上説明したように、本発明の実施の形態に係る自動販売機の外殻構造１０によれば、窪み部６に設けられた鍵穴５ａに、鍵を上向きに挿入してロック機構４の施錠とロック機構４の解錠とを行うので、鍵穴５ａを側面に設けた場合と比較して鍵穴５ａの位置が外部から見え難く、またアクセスし難くすることができる結果、鍵穴５ａの破壊や金庫の盗難など、悪戯行為や犯罪行為を最小限することができる。
【００２８】
また、本発明の実施の形態によれば、窪み部６が、本体の側面の下部に設けられているので、鍵穴５ａを外からより見え難くすることができる。
【００２９】
さらに、本発明の実施の形態によれば、窪み部６が、窪み部６の開口上方に、鍵穴５ａを外部から隠すシールドを備えているので、鍵穴５ａをさらに見え難くすることができる。
【００３０】
そして、本発明の実施の形態によれば、窪み部６の底面６ｂが、外側に傾斜しているので、鍵を鍵穴５ａから落としても窪み部６の内部に留まらずに、手前に出てくる結果、鍵穴５ａから鍵を取り出すことが容易になる。
【００３１】
上述した実施の形態は本発明の好ましい具体例を例示したものに過ぎず、本発明は上述した実施の形態に限定されない。
【００３２】
例えば、外殻構造１０の形状、材質は、本発明を限定するものではなく、種々の設計変更が可能である。
【００３３】
また、自動販売機１は、必ずしも駐車場において、自動的に金銭を授受して駐車場ゲートを開閉するサービスの提供を行うものに限定されない。本発明は、食品、飲料、その他の自動販売機に適用可能であり、それに応じて、操作パネル２も様々な形態が適用される。
【００３４】
本実施形態では、扉部３は、正面扉３ｃ、側面左扉３ｄおよび側面右扉３ｅを有する構成になっているが、必ずしもこのような形態に限定されない。外殻構造１０を開放する開放姿勢３ｂと外殻構造１０を閉止する閉止姿勢３ａとの間で姿勢変更をすることが可能に構成されていれば、種々の設計変更が可能である。
【００３５】
また、ロック機構４も必ずしも図示のように、第一のロック部４ａとこれに連動する第二のロック部４ｂとを有する形態や、シリンダー錠を採用する機構に限定されない。扉部３を閉止姿勢３ａの状態でロックするために設けられるものであれば、様々な形態が採用可能である。
【００３６】
さらに、操作部５も、必ずしも図示の形状に限定されない。ハンドル５ｂの代わりにレバーを有するなど、ロック機構４の施錠とロック機構４の解錠とを行うように構成したものであれば、種々の設計変更が可能である。
【００３７】
その他、本発明の特許請求の範囲内で種々の設計変更が可能であることはいうまでもない。
【００３８】
【発明の効果】
以上説明したように、本発明によれば、鍵穴の位置を外部から見え難く、またアクセスし難くすることにより、鍵穴に対する悪戯行為や犯罪行為を防止することができるという顕著な効果を奏する。
【図面の簡単な説明】
【図１】本発明の実施の形態に係る自動販売機の外殻構造の構成を示す斜視図である。
【図２】本発明の実施の形態に係る自動販売機の外殻構造の操作部を下方から見た斜視図である。
【図３】本発明の実施の形態に係る自動販売機の外殻構造の操作部の構成を示す部分図であり、（ａ）は、操作部の正面図を、（ｂ）は、操作部を下からみた平面図を、（ｃ）は、操作部の側面図をそれぞれ示している。
【図４】本発明の実施の形態に係る自動販売機の外殻構造の扉部の開放状態を示す斜視図である。
【符号の説明】
３            扉部
３ａ        閉止姿勢
３ｂ        開放姿勢
４            ロック機構
５            操作部
５ａ        鍵穴
６            窪み部
６ａ        シールド
６ｂ        底面
１０        自動販売機の外殻構造
【図１】
2004326352.tif 000003
【図２】
2004326352.tif 000004
【図３】
2004326352.tif 000005
【図４】
2004326352.tif 000006